(57)【要約】      （修正有）【課題】外径の太い引込線でも細い引込線でも確実に保持することのできる引込電線引留具を提供する。【解決手段】電柱から家屋等に引込まれる低圧引込線の引留めに使用される樹脂製の引留碍子であり、基体５の左右面のそれぞれ対称位置に複数の電線巻回軸部２，３，４を突設し、各電線巻回軸部にそれぞれ一対毎に反対向きに庇部２ｂ，３ｂ，４ｂを設ける。ねじ山７を形成した固定軸部６を基体の一側に突設し、この固定軸部の連出側に位置する電線巻回軸部の庇部４ｂを固定軸部側に突出させる。ねじ山７に螺合する締付けナット８を庇部４ｂの内面間に一部侵入可能に構成する。庇部の突出側先端を電線巻回軸部に巻掛け収容される電線の外表面よりもさらに外側まで突出させるとともに、庇部の内面間寸法を正多角形の締付けナット８の対角寸法よりも小径に形成し、弾性当接可能とする。【選択図】図１
0003191790.tif 000002
【実用新案登録請求の範囲】
【請求項１】
電柱から家屋等に引き込まれる低圧引込線の引留めに使用される樹脂製の引留碍子であって、基体(５)の左右面のそれぞれ対称位置に複数の電線巻回軸部(２)(３)(４)を突設し、各電線巻回軸部(２)(３)(４)はそれぞれ一対毎に反対向きに庇部(２ｂ)(３ｂ)(４ｂ)を設けるとともにねじ山(７)を形成した固定軸部(６)を基体(５)の一側に突設し、この固定軸部(６)の連出側に位置する電線巻回軸部(４)の庇部(４ｂ)を前記固定軸部(６)側に突出させ、前記固定軸部(６)に形成したねじ山(７)と螺合する締付けナット(８)を固定軸部(６)の連出側に位置する電線巻回軸部(４)の庇部(４ｂ)の内面間に一部侵入可能に構成した引込電線引留具において、
前記固定軸部(６)の連出側に位置する電線巻回軸部(４)に形成されている庇部(４ｂ)の突出側先端を電線巻回軸部(４)に巻掛け収容される電線(Ｃ)の外表面よりもさらに外側まで突出させるとともに、この電線巻回軸部(４)の庇部(４ｂ)の内面間寸法を正多角形に形成した締付けナット(８)の対角寸法よりも小径に形成することで、庇部(４ｂ)の対向面を締付けナット(８)の側面に弾性当接可能に構成したことを特徴とする引込電線引留具。
【請求項２】
固定軸部(６)の連出側に位置する電線巻回軸部(４)の庇部(４ｂ)の対向面にそれぞれ小突起(９)を形成し、締付けナット(８)の人為的回動時には締付けナット(８)が庇部(４ｂ)の内面に形成した小突起(９)を乗越え可能であり、人為的操作が加わらない状態での締付けナット(８)の螺解方向への回動時には、正多角形に形成した締付けナット(８)の頂角部を庇部(４ｂ)の対向面に形成した小突起(９)が受け止めることにより、回り止めするように構成した請求項１に引込電線引留具。
【考案の詳細な説明】
【技術分野】
【０００１】
本考案は、電柱などから屋内に引き込む電力線等の引込線を引留める際に使用される引込電線引留具に関する。
【背景技術】
【０００２】
一般に、電力線ケーブルなどを家屋に引き込むに際して、電力線などを引き込むために家屋の屋外壁に引留具が設置されている。従来、このような引留具として、引留具の基体の一端部にねじ山を有する固定軸部が一体に形成され、この固定軸部の先端には止め金具を挿通する透孔が形成され、引留具基体の両側面対称位置に電力線が巻回される複数の電線巻回軸部が一体に形成され、各電線巻回軸部の先端部に庇部が一体形成され、電線巻回軸部に巻回した電力線を固定軸に螺合させたナットにより、ナットと電線巻回軸部周面とで挟持するようにしたもの(特許文献１)が提案されている。
【０００３】
また、引留具本体の一端部にねじ山を有する固定軸部が一体に形成され、この固定軸部の先端には止め金具を挿通する透孔が形成され、引留具本体の両側面対称位置に電力線が巻回される複数の電線巻回軸部が一体に形成され、各電線巻回軸部先端部に庇部が一体形成され、電線巻回軸部に巻回した電力線を固定軸に螺合させたナットにより、ナットと電線巻回軸部周面とで挟持するようにし、ねじ部を形成した固定軸の基部に窪部を形成し、該窪部内周面から弾性リブを突設し、ナットの締め込み時に、このナットがこのリブに圧着することでナットの緩み止めを行うようにしたもの(特許文献２)も提案されている。
【先行技術文献】
【特許文献】
【０００４】
【特許文献１】特許２７９９４９６号公報
【特許文献２】特許３５７４４４１号公報
【考案の概要】
【考案が解決しようとする課題】
【０００５】
一般の家庭向けの電力量や電流契約から、一般家庭用では単線で芯線直径４ｍｍ(被覆外径６.０mm)、３.２ｍｍ(被覆外径４.４mm)、２.６ｍｍ(被覆外径３.６mm)のもの、撚り線で断面積１４ｍｍ２(被覆外径６.８mm)、８ｍｍ２(被覆外径４.４mm)、５.５ｍｍ２(被覆外径３.６mm)の電力線が引込線として使用される。特許文献１に示される従来の引留具では、この引込線を蛇行する状態に巻きかける電線巻回軸部の上面側と下面側とで庇部内面と引留具本体側面との間の溝幅を異ならせて、この被覆外径の異なる引込線の蛇行巻きかけの方向を異ならせることで、締付けナットを締付けた際に確りと保持できるようにしている。しかし、この特許文献１に示されている引留具では、固定軸に螺合している締付けナットの緩み止めがないことから、引込線が風により揺れたり引込線に積った雪の重力により、引込線に張力が作用したりすると、締付けナットが緩み出して、引込線を所定の張力で張設できないことがある。
【０００６】
また、特許文献２に示されている従来の引留具では、ねじ部を形成した固定軸の基部に窪部を形成し、該窪部内周面から弾性リブを突設し、締付けナットでの締込み時に、この締付けナットがこのリブに圧着することで締付けナットの緩み止めを行うようにしていることから、リブの形成位置により、外径の太い引込線用と外径の細い引込線用とのいずれかの専用引留具となり、外径の太い引込線と外径の細い引込線のいずれにも使用することのできる汎用引留め具とすることはできない。
【０００７】
本考案は、外径の太い引込線でも外径の細い引込線でも使用することができる汎用性を有するものでありながら、これらの引込線を確りと保持することのできる引込電線引留具を提供することを目的とする。
【課題を解決するための手段】
【０００８】
上述の課題を解決するために請求項１に記載の本考案は、電柱から家屋等に引き込まれる低圧引込線の引留めに使用される樹脂製の引留具であって、基体の左右面のそれぞれ対称位置に複数の電線巻回軸部を突設し、各電線巻回軸部はそれぞれ一対毎に反対向きに庇部を設けるとともにねじ山を形成した固定軸部を基体の一側に突設し、この固定軸部の連出側に位置する電線巻回軸部の庇部を前記固定軸部側に突出させ、前記固定軸部に形成したねじ山に螺合する締付けナットを固定軸部の連出側に位置する電線巻回軸部の庇部の内面間に一部侵入可能に構成した引込線引留具において、
前記固定軸部の連出側に位置する電線巻回軸部に形成されている庇部の突出側先端を電線巻回軸部に巻掛け収容される電線の外表面よりもさらに外側まで突出させるとともに、この電線巻回軸部の庇部の内面間寸法を正多角形に形成した締付けナットの頂角同士の対角寸法よりも小径に形成することで、庇部の対向面を締付けナットの側面に弾性当接可能に構成したことを特徴としている。
【０００９】
また、請求項２に記載した本考案は、請求項１に記載した構成に加えて、固定軸部の連出側に位置する電線巻回軸部の庇部の対向面に小突起をそれぞれ形成し、締付けナットの人為的回動時には締付けナットが庇部の内面に形成した小突起を乗越え可能であり、人為的操作が加わらない状態での締付けナットの螺解方向への回動時には、正多角形に形成した締付けナットの頂角部を庇部の対向面に形成した小突起が受け止めることにより、回り止めするように構成したものである。
【考案の効果】
【００１０】
本考案では、電線巻回軸部に形成されている庇部の突出側先端を電線巻回軸部に巻き掛け収容される電線の外表面よりもさらに外側まで突出させるとともに、この電線巻回軸部の庇部対向面間寸法を正多角形に形成した締付けナットの頂角同士の対角寸法よりも小径に形成することで、庇部対向面を締付けナットの側面に弾性当接可能に構成してあるので、締付けナットを締込む人為的作業時には、ナットの頂角部で庇部を押し出すように弾性変形させることにより、締め込み作業が行えるものでありながら、いったん締込んだ後には、電線巻回軸部に形成されている庇部がナット側壁部に当接することになるから、風や積雪による引込電線に作用する張力に伴う引き出し力が引込電線を介して締付けナットに作用しても、その引き出し力により生じるナットの螺解力が庇部を弾性変形させる力よりも大きくならない限り、締付けナットが緩み出すことはない。
【図面の簡単な説明】
【００１１】
【図１】本考案の一実施形態を示す引込線引留具の斜視図である。
【図２】引込線引留具の使用状態を示す概略図である。
【図３】図１に示す引込線引留具の正面図である。
【図４】引込線引留具基体の平面図である。
【図５】引込線引留具基体の正面図である。
【図６】引込線引留具基体の右側面である。
【図７】引込線引留具基体の左面図である。
【図８】締込みナットを示し、図８ａは正面図、図８ｂは平面図、図８ｃは断面図である。
【考案を実施するための形態】
【００１２】
本考案にかかる引込電線引留具(１)は樹脂製で図面に示すように、左右側面のそれぞれ対称位置に３対の電線巻回軸部(２)(３)(４)を一体に突設してなる基体(５)と、この基体(５)の前後一端面から一体に突設した固定軸部(６)と、この固定軸部(６)の外周面に形成したねじ山(７)に螺合する外形を正多角形(図では正八角形)に成形した締付けナット(８)とで形成してある。
【００１３】
前記電線巻回軸部(２)(３)(４)は、それぞれ巻掛け軸(２ａ)、(３ａ)、(４ａ)と各巻掛け軸(２ａ)、(３ａ)、(４ａ)の突出先端部にそれぞれ一体に形成されている庇部(２ｂ)、(３ｂ)、(４ｂ)とで構成してある。
【００１４】
そして、各巻掛け軸(２ａ)、(３ａ)、(４ａ)に形成されている庇部(２ｂ)、(３ｂ)、(４ｂ)は、引込電線が蛇行巻き掛けできるように、固定軸部(６)の形成側から一番遠い位置に形成されている第１巻掛け軸(２ａ)に形成されている第１庇部(２ｂ)は、図上上方に突出する状態に形成してあり、この上方に突出している庇部(２ｂ)と基体(５)との対向面間の間隙を巻掛ける引込電線(Ｃ)の挿通路としている。また、中間部に位置している第２巻掛け軸(３ａ)に形成されている第２庇部(３ｂ)は図所下方に突出する状態に形成してあり、この下方に突出している第２庇部(３ｂ)と基体(５)との対向面間の間隙を巻掛ける引込電線(Ｃ)の挿通路としている。
【００１５】
さらに、最も固定軸部(６)の形成側に位置している第３巻掛け軸(４ａ)に形成されている第３庇部(４ｂ)は、図上上方に突出させるとともに固定軸延出側にも突出させており、上方に突出している第３庇部(４ｂ)と基体(５)との対向面間の間隙を巻掛ける引込電線(Ｃ)の挿通路としている。また、第３庇部(４ｂ)の固定軸延出方向に突出している部分は、固定軸部(６)の連出基端部を超えて連出しており、第３巻掛け軸(４ａ)に巻き掛けた引込電線(Ｃ)の外表面よりも突出するようになっている。この固定軸延出方向での左右庇部(４ｂ)(４ｂ)間の間隔は締付けナット(８)の最大対角寸法(Ｄ)よりも小寸法に形成してあり、その連出先端部の対向面部分に小突起(９)が形成してある。これにより、締付けナット(８)の螺進時には左右庇部(４ｂ)(４ｂ)が締付けナット(８)で押し広げられるように弾性変形して、締付けナット(８)の進入を許すようにしてある。
【００１６】
締付けナット(８)が螺合する固定軸部(６)には、固定軸部(６)を直径方向に貫通する長溝孔(10)が透設してあり、この長溝孔(10)に家屋や電柱との間を連結する引込線支持フック(11)を係合保持させる。
【００１７】
固定軸部(６)に螺合する締付けナット(８)は、図８に示すように、隣り合う頂角同士を繋ぐ側面部分(12)を僅かに凹陥させてある。また、ナット(８)の締付け面(13)に頂角対応部を高点とする波状の起伏が形成してあり、その波底部分に引込電線(Ｃ)の外表面を受け入れるようにしてある。
【００１８】
本考案にかかる引込線引留具(１)の使用時には、建造物に固定されているフック(14)に引込線支持フック(11)を係止させた状態で、電柱側から引込んだ引込電線(Ｃ)を第１電線巻回軸部(２)の庇部(２ｂ)と基体(５)との対向面間の間隙で形成されている引込電線挿通路を通して第１電線巻回軸部(２)に沿って屈曲させ、ついで第２電線巻回軸部(３)の庇部(２ｂ)と基体(５)との対向面間の間隙で形成されている引込電線挿通路を通して第２電線巻回軸部(３)に沿って屈曲させ、さらに、第３電線巻回軸部(４)の庇部(３ｂ)と基体(５)との対向面間の間隙で形成されている引込電線挿通路を通して第３電線巻回軸部(４)に沿ってほぼ折り返し屈曲させることで、引込電線(Ｃ)を引込線引留具(１)に蛇行姿勢で保持させる。
【００１９】
そして、引込電線(Ｃ)の張力が設定範囲に入るように牽引したのち、固定軸部(６)に装着されている締付けナット(８)を締込み、第３電線巻回軸部(４)の庇部(３ｂ)を弾性変形させながら、締込みナット(８)の締付け面(13)を第３電線巻回軸部(４)に折り返し状態で播き掛けられている引込電線(Ｃ)に圧接させることで引込電線(Ｃ)を確りと保持する。
このとき、締付けナット(８)の側面部分は、第３電線巻回軸部(４)の庇部(３ｂ)の保有する弾性復元力により、第３電線巻回軸部(４)の庇部(３ｂ)が当接することになり、この当接により締付けナット(８)は緩み止めされることになる。これにより、引込電線締付け力と、長期的な締付けナット(８)の緩み止めを実現することができる。
【産業上の利用可能性】
【００２０】
本考案は、電柱などから屋内に引き込む電力線等の引込線の配線作業に適用することができる。
【符号の説明】
【００２１】
１…引込電線引留具、２・３・４…電線巻回軸部、２ｂ・３ｂ・４ｂ…電線巻回軸部の庇部、５…基体、６…固定軸部、７…ねじ山、…締付けナット、９…小突起、Ｃ…電線。
【図１】
0003191790.tif 000003
【図２】
0003191790.tif 000004
【図３】
0003191790.tif 000005
【図４】
0003191790.tif 000006
【図５】
0003191790.tif 000007
【図６】
0003191790.tif 000008
【図７】
0003191790.tif 000009
【図８】
0003191790.tif 000010